(57)【特許請求の範囲】
【請求項１】
画像を撮影するための撮影手段を有する撮像装置であって、
前記撮像装置本体に設けられた第１の表示部と、
前記撮像装置本体に対して、回動可能に設けられた第２の表示部と、
前記第２の表示部の回動状態を検出する検出手段と、
前記撮影手段による動画像の撮影を指示する指示手段と、
前記動画像の撮影中に前記検出手段により検出した前記第２の表示部の回動状態が所定の回動状態である場合には、前記第１の表示部の輝度を変更し、前記動画像の撮影中でない場合は、前記検出手段により検出した前記第２の表示部の回動状態が所定の回動状態であっても、前記第１の表示部の輝度を変更しないように制御する制御手段と、を有することを特徴とする撮像装置。
【請求項２】
画像を撮影するための撮影手段を有する撮像装置であって、
前記撮像装置本体に設けられた第１の表示部と、
前記撮像装置本体に対して、回動可能に設けられた第２の表示部と、
前記第２の表示部の回動状態を検出する検出手段と、
前記検出手段により検出した前記第２の表示部の回動状態に応じて、前記第１の表示部の輝度を変更する制御手段と、を有し、
前記撮影手段は、撮影光学系によって結像した被写体像を画像信号に変換するイメージセンサを有し、
前記第１の表示部は、当該第１の表示部の表示画面が、前記撮影光学系の光軸に略平行となるように設けられていることを特徴とする撮像装置。
【請求項３】
前記検出手段により検出された前記第２の表示部の回動状態の検出結果により、前記第２の表示部の回動状態が、前記撮影光学系の光軸と略直交する位置まで回動されている回動状態であると推定される場合に、前記制御手段は、前記第１の表示部の輝度を低くすることを特徴とする請求項２に記載の撮像装置。
【請求項４】
前記検出手段により検出された前記第２の表示部の回動状態の検出結果により、前記第２の表示部の回動状態が、前記撮影光学系の光軸と略直交する位置まで回動されている回動状態であると推定される場合には、前記制御手段は、前記第１の表示部の輝度を第１の輝度よりも低い第２の輝度に設定し、
前記第２の表示部が前記撮影光学系の光軸と略直交する位置より回動角度が大きくなる特定の角度以上まで、前記第２の表示部が回動されたことが、前記検出手段により検出された場合に、前記制御手段は、前記第１の表示部の輝度を第１の輝度に設定することを特徴とする請求項２に記載の撮像装置。
【請求項５】
前記検出手段は、前記撮影光学系の光軸と略直交する位置よりも前記第２の表示部の回動角度が小さい第１の角度の回動状態と、前記撮影光学系の光軸と略直交する位置よりも前記第２の表示部の回動角度が大きい第２の角度の回動状態とを検出可能であり、
前記第２の表示部は、所定の角度に回動された状態で保持可能であり、前記第１の角度よりも大きく、かつ、第２の角度よりも小さい角度に回動された場合には、前記撮影光学系の光軸と略直交する位置に回動された状態で保持可能であることを特徴とする請求項３または４に記載の撮像装置。
【請求項６】
前記撮影光学系の光軸と略直交する位置まで回動されている回動状態であると推定される場合とは、前記第２の表示部が、前記第１の角度よりも大きく、かつ、第２の角度よりも小さい角度に回動されたことを前記検出手段により検出した場合であることを特徴とする請求項５に記載の撮像装置。
【請求項７】
撮影待機モードまたは再生モードに変更する設定手段を有し、
前記撮影待機モードの場合に、前記第２の表示部が回動されており、前記第１の表示部の表示画面と前記第２の表示部の表示画面が略平行であると前記検出手段により検出された場合に、前記設定手段は、前記再生モードに自動的に変更することを特徴とする請求項１ないし６のいずれか１項に記載の撮像装置。
【請求項８】
画像を撮影するための撮影手段を有する撮像装置であって、
前記撮像装置本体に設けられた第１の表示部と、
前記撮像装置本体に対して、回動可能に設けられた第２の表示部と、
前記第２の表示部の回動状態を検出する検出手段と、
前記検出手段により検出した前記第２の表示部の回動状態に応じて、前記第１の表示部の輝度を変更する制御手段と、
撮影待機モードまたは再生モードに変更する設定手段を有し、
前記撮影待機モードの場合に、前記第２の表示部が回動されており、前記第１の表示部の表示画面と前記第２の表示部の表示画面が略平行であると前記検出手段により検出された場合に、前記設定手段は、前記再生モードに自動的に変更することを特徴とする撮像装置。
【請求項９】
前記検出手段は、前記第２の表示部の回動状態を示す回動角度を検出し、
前記制御手段は、前記検出手段により検出した回動回動角度が、所定の角度である場合に、前記第１の表示部の輝度を低くすることを特徴とする請求項８に記載の撮像装置。
【請求項１０】
前記制御手段は、前記検出手段により検出した回動角度が所定の角度である場合に、前記第１の表示部の輝度を前記第２の表示部の輝度よりも低くすることを特徴とする請求項９に記載の撮像装置。
【請求項１１】
前記設定手段は、撮影手段により撮影した画像を記録媒体に記録している撮影中である場合は、前記検出手段により前記第１の表示部の表示画面と前記第２の表示部の表示画面が略平行であることが検出されても、前記再生モードには変更しないことを特徴とする請求項７または８に記載の撮像装置。
【請求項１２】
画像を撮影するための撮影手段を有する撮像装置であって、前記撮像装置本体に設けられた第１の表示部と、前記撮像装置本体に対して、回動可能に設けられた第２の表示部とを有する撮像装置の制御方法であって、
前記第２の表示部の回動状態を検出する検出工程と、
前記撮影手段による動画像の撮影を指示する指示工程と、
前記動画像の撮影中に前記検出工程で検出した前記第２の表示部の回動状態が所定の回動状態である場合には、前記第１の表示部の輝度を変更し、前記動画像の撮影中でない場合は、前記検出工程で検出した前記第２の表示部の回動状態が所定の回動状態であっても、前記第１の表示部の輝度を変更しないように制御する制御工程と、を有することを特徴とする撮像装置の制御方法。
【請求項１３】
画像を撮影するための撮影手段を有する撮像装置であって、前記撮像装置本体に設けられた第１の表示部と、前記撮像装置本体に対して、回動可能に設けられた第２の表示部とを有する撮像装置の制御方法であって、
前記第２の表示部の回動状態を検出する検出工程と、
前記検出工程で検出した前記第２の表示部の回動状態に応じて、前記第１の表示部の輝度を変更する制御工程と、
撮影待機モードまたは再生モードに変更する設定工程であって、前記撮影待機モードの場合に、前記第２の表示部が回動されており、前記第１の表示部の表示画面と前記第２の表示部の表示画面が略平行であると前記検出工程で検出された場合に、前記再生モードに自動的に変更する設定工程と、を有することを特徴とする撮像装置の制御方法。
【発明の詳細な説明】
【技術分野】
【０００１】
本発明は、２つの表示部を有する撮像装置に関するものである。
【背景技術】
【０００２】
従来のビデオカメラ等の撮像装置には、装置本体にヒンジ機構等を介して接続され、装置本体に対する位置状態を変化させることが可能な表示装置を備えたものがある。この表示装置は、本体に対して開閉（回動）自在に構成され、表示装置が本体に対して閉じている場合に、表示画面を外から視認できない状態になる。このような表示装置を備えた撮像装置で撮影を行う場合、表示装置を本体に対して開いている状態とし、表示された被写体を確認しながら撮影を行う。また、消費電力を押さえるため、表示装置が閉じている場合には表示装置を消灯させるようにしている。
【先行技術文献】
【特許文献】
【０００３】
【特許文献１】特開２００５−０８６２８３号公報
【発明の概要】
【発明が解決しようとする課題】
【０００４】
しかしながら、本体に対して開閉自在な表示装置と、本体側に固定された表示装置を有する撮像装置において、以下のような課題があった。
【０００５】
開閉自在な表示装置を９０°開いた状態で被写体を確認しながら撮影を行う場合は、ユーザは一度に２つの表示装置を使用するのは難しいので、一方の表示装置しか使用していないと考えられるが、それにもかかわらず。両方の表示装置が点灯していた。また、開閉自在な表示装置を９０°開いた状態で被写体を確認しながら撮影を行う場合、一方の表示装置の視認性が、他方の表示装置の点灯によって低下させられていた。
【課題を解決するための手段】
【０００６】
上記課題を達成するために、本発明の撮像装置は、
画像を撮影するための撮影手段を有する撮像装置であって、撮像装置本体に設けられた第１の表示部と、撮像装置本体に対して、回動可能に設けられた第２の表示部と、第２の表示部の回動状態を検出する検出手段と、撮影手段による動画像の撮影を指示する指示手段と、動画像の撮影中に検出手段により検出した第２の表示部の回動状態が所定の回動状態である場合には、第１の表示部の輝度を変更し、動画像の撮影中でない場合は、検出手段により検出した第２の表示部の回動状態が所定の回動状態であっても、第１の表示部の輝度を変更しないように制御する制御手段と、を有することを特徴とする。
また、本発明の撮像装置は、
画像を撮影するための撮影手段を有する撮像装置であって、撮像装置本体に設けられた第１の表示部と、撮像装置本体に対して、回動可能に設けられた第２の表示部と、第２の表示部の回動状態を検出する検出手段と、検出手段により検出した第２の表示部の回動状態に応じて、第１の表示部の輝度を変更する制御手段と、を有し、撮影手段は、撮影光学系によって結像した被写体像を画像信号に変換するイメージセンサを有し、第１の表示部は、当該第１の表示部の表示画面が、撮影光学系の光軸に略平行となるように設けられていることを特徴とする。
また、本発明の撮像装置は、
画像を撮影するための撮影手段を有する撮像装置であって、撮像装置本体に設けられた第１の表示部と、撮像装置本体に対して、回動可能に設けられた第２の表示部と、第２の表示部の回動状態を検出する検出手段と、検出手段により検出した第２の表示部の回動状態に応じて、第１の表示部の輝度を変更する制御手段と、撮影待機モードまたは再生モードに変更する設定手段を有し、撮影待機モードの場合に、第２の表示部が回動されており、第１の表示部の表示画面と第２の表示部の表示画面が略平行であると検出手段により検出された場合に、設定手段は、再生モードに自動的に変更することを特徴とする。
【発明の効果】
【０００７】
本発明によると、回動可能な表示部の回動状態に応じて、もう一方の表示部の表示輝度を決定する。そのため、消費電力を押さえることが可能となる。また、一方の表示部の視認性が、他方の表示部の点灯によって低下させられるのを防止できる。
【図面の簡単な説明】
【０００８】
【図１】本発明の実施形態に係るビデオカメラの斜視図
【図２】本発明の実施形態に係るビデオカメラの斜視図
【図３】本発明の実施形態に係るビデオカメラの斜視図
【図４】本発明の実施形態に係るビデオカメラの斜視図
【図５】本発明の実施形態に係るビデオカメラのブロック図
【図６】本発明の実施形態に係るビデオカメラの動作を表わすフローチャート
【図７】本発明の実施形態に係るビデオカメラの動作を表わすフローチャート
【発明を実施するための形態】
【０００９】
＜第１の実施形態＞
図１は本発明実施の形態のビデオカメラの斜視図である。特に図１ａは前方からの、図１ｂは後方からの斜視図である。これらの図において、本体の前面にレンズ１０１、本体上部に、トリガーボタン３０１、およびズームボタン３０２が配置されている。本体の側面には、上下に分割されたヒンジ５０１５を介して接続され、装置本体に対する位置状態を変化させることが可能な表示部５０１と、本体に固定式の表示部５０２を備えている。表示部５０１は、本体に対して閉じている場合に、表示部５０１が表示部５０２を覆うように重ねられ、表示画面を外から視認できない状態になる（図２）。
【００１０】
図５は本発明実施の形態のビデオカメラ内部のブロック図である。図５において、本発明のビデオカメラは、撮像部１０、制御部２０、操作部３０、記録部４０、表示部５０で構成されている。
【００１１】
撮像部１０は、レンズ部１０１とイメージセンサ１０２、画像処理部１０３で構成されている。撮影光学系であるレンズ部１０１は、制御部２０からの信号により、ズーム機能およびオートフォーカス機能を行う、可動式のレンズ群を有する。イメージセンサ１０２は、レンズ部１０１の後方に配置され、レンズ部１０１を通過して結像された被写体像を画像信号に変換する。ここで、イメージセンサ１０２は、被写体像の結合面にＲ（赤）、Ｇ（緑）、Ｂ（青）のみをそれぞれ透過する色フィルタを有する光電変換センサである。画像処理部１０３は、イメージセンサ１０２により出力される画像信号に所要の画像処理を行う。ビデオカメラ本体の前面にはレンズ部１０１の入射面であるレンズが露出している。ここで、図１（ａ）に記載されているように、レンズ部の光軸は、レンズの入射面の法線方向で、本体の長手方向と一致している。
【００１２】
制御部２０は、ＣＰＵ（Ｃｅｎｔｒａｌ  Ｐｒｏｃｅｓｓｉｎｇ  Ｕｎｉｔ）２０１、ワークメモリ部２０２、プログラムメモリ部２０３を有している。ＣＰＵ）２０１は、ビデオカメラ本体に内蔵され、ビデオカメラの動作全般を制御する制御回路である。ワークメモリ部２０２は、前記撮像部１０で画像処理された輝度データと、Ｒ、Ｇ、Ｂの色データを一時記録する。プログラムメモリ部２０３は、本体の制御に必要な各種データが格納されている。ＣＰＵ２０１は、プログラムメモリ部２０３からプログラムを読み出し。読み出したプログラムに基づいて、ビデオカメラの各部の制御や演算処理を行う。
【００１３】
操作部３０は、トリガーボタン３０１、ズームボタン３０２、タッチパネル３０３、入力回路３０４で構成されている。トリガーボタン３０１は、ユーザからの撮影開始の指示を受け付ける。ズームボタン３０２は、レンズ部のズーム機能およびオートフォーカス機能を操作する。タッチパネル３０３は、後述する表示部５０２の上面に設けられており、ユーザからの操作を受け付ける操作入力部である。入力回路３０４は、操作部３０に入力された操作信号を制御部２０に入力する。
【００１４】
記録部４０は、前記撮像部１０で画像処理された輝度データと、Ｒ、Ｇ、Ｂの色データを不揮発的に記録するため、本体に内蔵されたハードディスクなどの記録媒体で構成されている。記録されたデータは、制御部２０のワークメモリ２０２に読み出したのち、後述する表示部５０にて、再生を行うことが出来る。
【００１５】
本発明実施の形態のビデオカメラは、表示部５０として、ビデオカメラ本体に対して回動可能であり、回動状態を変化させることが可能な表示部５０１と、ビデオカメラ本体に固定された表示部５０２を備えている。各表示部は、液晶表示パネル５０１１、５０２１と液晶表示パネルの背面に重ねて配置されたバックライト５０１２、５０２２と、表示メモリ５０１３、５０２３で構成されている。各液晶表示パネル５０１１、５０２１は、それぞれの表示メモリ５０１３、５０２３に格納されている映像データを表示することが可能となっている。また、バックライト５０１２、５０２２の輝度を制御することによって、各液晶パネル５０１１、５０１２の表示の明るさの調整が可能となっている。表示メモリには、刻々と変化する撮像部１０で処理されている映像データ（以下  スルー画）や、記録部４０に保存されている画像データ等が書き込まれる。また、あらかじめプログラムメモリ２０３に格納されている各種情報の表示や、タッチパネル操作を行う為のアイコン表示が、前述のスルー画に重畳して表示メモリに書き込まれ、液晶表示パネルに表示される。
【００１６】
表示部５０２の液晶表示パネル５０２１の前面には、タッチパネル３０３が配置されている。タッチパネルは、透明の素子がマトリクス状に配置されたものである。押圧により検出された圧力、範囲を、あらかじめ制御部２０のプログラムメモリ２０３に格納されているデータを比較することにより、パネル上の任意の位置を操作スイッチとして用いることが出来る。表示部５０２は、液晶表示パネル５０２１に本体の動作を制御する各種キーアイコンを表示し、さらにタッチパネル３０３によって、任意の位置に表示したキーアイコンへの押圧を検出することで、操作部として本体の制御を行うことが可能となっている。表示部５０２に表示されるキーアイコンとして、例えばスルー画や、スルー画の部分拡大を開始する部分拡大開始アイコンや、再生画の再生操作に使用するアイコン（再生、停止、早送り、早戻しなど）がある。また、本体の設定を行うメニューアイコンや、現在の設定の表示などの表示アイコンも表示が可能となっている。本実施例のビデオカメラでは、複数の表示装置の両方ではなく、本体側の固定式の表示部５０２のみにタッチパネルを設けることで、ユーザのタッチパネル操作時における、表示部５０１のヒンジ部へ負担がかからないようにしている。それに対し、表示部５０１には、撮影中の画像や、再生した画像等が表示され、主に画像の確認のために利用される。
【００１７】
また、表示部５０１は、開閉検出部５０１４を備えている。開閉検出部５０１４は、表示部５０１と本体を回動自在に接続するヒンジ５０１５（図１参照）の内部に設けられている。開閉検出部５０１４は、表示部５０１の液晶表示パネル面が、表示部５０２の液晶表示パネル面に対して開いている（回動している）している開閉角度を、表示部の回動状態として検出する。開閉検出部５０１４で検出した表示部５０１の開閉角度の情報を制御部２０に送信することで、検出結果、つまり、表示部５０１の回動状態に応じた本体の制御を行うことが出来る。
【００１８】
本実施例において、開閉検出部５０１４は、第１の検出角度（３０°）、第２の検出角度（１２０°）、第３の検出角度（１８０°）の３つの角度をメカスイッチで検出可能に構成されているが、電気的に検出し、任意の角度を検出可能に構成してもよい。開閉検出部５０１４は、表示部５０１が閉じて２つの表示部の液晶表示パネルが対面している状態から３０°開いた状態となると、第１の角度を検出する。そして、第１の検出角度より開き、表示部５０１の液晶表示パネル面がレンズ光軸と略垂直な面となる９０°の位置より、さらに開いた１２０°開位置に第２の検出角度と、を有する。また、表示部５０１の液晶表示パネル面５０１１と表示部５０２の液晶表示パネル５０２１面が、略平行な面に配置される状態、すなわち本体に対して１８０°開いた位置に第３の検出角度を有する。
【００１９】
ヒンジは、表示部５０１が閉じた位置、および、表示部５０１の液晶表示パネル面５０１１と液晶表示パネル面５０２１が、９０°開いた位置、１２０°開いた位置、１８０°開いた位置で、表示部５０１が保持可能なクリック機構を有する。つまり、表示部５０１が本体に対して閉じている第１の状態（図２）、９０°開いている第２の状態（図１）、１２０°開いている第３の状態（図３）、１８０°開いている第４の状態（図４）で、表示部５０１が保持可能に構成されている。そして、この４つの状態（回転角度）以外の位置に表示部５０１が回転された場合は、表示部５０１が開く方向に付勢されているのでその位置では保持されない。この場合、上記の４つの位置のいずれかまで回転し、上記の４つの位置のいずれかで表示部５０１の回転が止まり、表示部５０１の位置が固定して保持される。
【００２０】
なお、本実施形態のビデオカメラは、表示部５０２の液晶表示パネル５０２１が、光軸と平行になるように設けられているので、上記の４つの状態（位置）では、表示部５０１の表示画面と光軸との角度が、それぞれ、０°、９０°、１２０°、１８０°となる。
【００２１】
次に、ビデオカメラの動作についてフローチャートで説明する。
【００２２】
図６は本発明実施の形態のビデオカメラの動作を表わすフローチャートである。表示部５０１が閉じている第１の状態（図２）では、無駄な消費電力を押さえるため、表示部５０１と表示部５０２の両方を消灯させ、本体の電源はＯＦＦとなっている。電源ＯＦＦの時、ステップＳ１において、開閉検出部５０１４は、表示部５０１が第１の検出角度（３０°）以上開いたことを検出するとＳ２に進み電源ＯＮとなる。つまり、表示部５０１の液晶表示パネル５０１１が本体（液晶表示パネル５０２１）に対して３０°開いた所で、開閉検出部５０１４の第１の検出角度用のメカスイッチがオンとなり、３０°以上開いたことを検出する。開閉検出部５０１４で検出した角度が３０°以上となると、本体の電源がＯＮとなり、撮影待機状態となる（ステップＳ２）。同時に制御部のＣＰＵから表示部５０１と表示部５０２のバックライト点灯の指令が下され、表示部５０１と表示部５０２のバックライトは第１の輝度で点灯する（ステップＳ３）。表示部５０１には、撮影部で撮影されたスルー画と、撮像部のズームの状態を表すズームバー、撮影待機中であることを表わす表示、記録部に記録可能な撮影可能時間などの表示が、表示される。表示部５０２には、タッチパネルによって本体の制御を行うための各種アイコンや、再生モード移行アイコンが表示される。表示部５０１を前述の第１の検出角度（３０°）より開くと、前述のクリック機構により表示部５０１の液晶表示パネル面が、レンズ光軸と垂直な面となる９０°開いた位置で固定される（図１に示す第２の状態）。ユーザは、第２の状態にて、表示部５０１に表示された被写体を確認しながらズーム操作を行い、構図決定や、タッチパネル操作による本体の各種機能の設定（例えば記録時の画素数の選択や、露出の設定）を行うことが出来る（ステップＳ４）。
【００２３】
撮影待機状態のステップＳ４においてユーザによる構図の決定と、本体の各種機能設定が完了すると、ユーザがボタン３０１を押圧することで、撮影が開始される（ステップＳ５）。撮影が開始されると、撮像部１０で撮影された動画像が、記録部４０により記録媒体に記録され、撮影終了となるまで、動画像が記録される。この時、表示部５０１には、スルー画と、撮影中であることを表わす表示などが表示される。表示部５０２には、撮影時に使用するアイコンとして、フォーカス選択アイコンや、フォーカス確認アイコンの表示がされる。そして、撮影中に、第２の検出角度である１２０°未満の位置に存在するかを判断する（ステップＳ６）。第２の検出角度である１２０°未満の位置に存在すると判断された場合、制御部のＣＰＵから表示部５０２のバックライト減光の指令が下され、第２の輝度状態に輝度が下げられる（ステップＳ７）。ここで、表示部５０１が第２の検出角度である１２０°未満でかつ表示部５０１が開いた状態で固定できるのは、表示部５０１が、９０°開いている第２の状態（図１）である。したがって、表示部５０１が、第１の検出角度（３０°）以上であり、第２の検出角度である１２０°未満の位置に存在する場合とは、表示部５０１が、９０°開いている第２の状態であると推定される。この状態においては、ユーザは、光軸の方向から表示部５０１を見ながら撮影を行っている可能性が高が、その場合、表示部５０２は見えないため、ユーザは５０２を使用していない可能性が高い。そこで、ステップＳ７では、表示部５０２の輝度を下げることのより、撮影中の本体の消費電力を抑えることが可能となるため、より長時間の撮影が可能となる。また、この時、表示部５０２には、タッチパネルによって記録時の本体の制御を行うための、タッチアイコンが前述の撮影待機中より、暗い状態で表示される。これによって、表示面が光軸と垂直な面にあることで、撮影時に被写体をモニタリングするために主となる表示部５０１の視認性が、表示部５０２の発光により阻害されることがなくなるため、撮影画像の良好なモニタが可能になる。本実施形態では、表示部５０２のバックライトの輝度を下げて減光下が、消灯する構成としても同様の効果が得られる。消灯した場合は、液晶表示パネル５０２１（タッチパネル３０３）がタッチされたことに応じて、表示部２のバックライトを点灯する構成にするとよい。
【００２４】
撮影中に、表示部５０１をさらに開き、１２０°開いている第３の状態（図３の状態）、すなわち表示部５０１が、開閉検出部の第２の検出角以上の位置にある場合においては、表示部５０２のバックライトを減光しない。撮影待機中と同じ第１の輝度とする（ステップＳ６〜Ｓ９）。第３の状態においては表示部５０１と表示部５０２の表示面が垂直でなく、光軸に対して垂直な面に存在する表示パネルが無い状態となるので、撮影中にも前述したような表示部５０１と表示部５０２の優劣が無くなる。そのため、両方を視認可能とする必要がある。本実施例のビデオカメラは、第３の状態での撮影時、表示部５０２のバックライトが、撮影待機時と同じく、明るく点灯した第１の輝度の状態で、表示部５０２による撮影時の操作を行うことが出来る。
【００２５】
本実施例のビデオカメラは、表示部５０１を１２０°開くように回動させた第３の状態に移行することも可能となっている。撮影中に表示部５０１を、第２の状態からさらに開き、第２の検出角度（１２０°）以上開くと、すなわち１２０°開いた第３の状態になると、表示部５０２のバックライトが撮影待機中と同じ第１の輝度で明るく点灯する（ステップＳ８）。また、１２０°以上である第４の状態（１８０°）のときも、表示部５０２のバックライトは第１の輝度で明るく点灯する。１２０°以上開いている場合は、ユーザは２画面を同時に見ている可能性が高いため、両方の表示部を第１の輝度で明るく点灯している。である。これによって表示部５０２に表示されている、フォーカス選択アイコンや、フォーカスアシストアイコンなどを使用した撮影中の操作がしやくすなる。本実施例のビデオカメラはフォーカス選択アイコンを押圧すると、表示部５０２に表示部５０１で表示されているスルー画と同じ映像の表示が行われ、タッチパネルによって被写体の中で、フォーカスを合わせる部分や、人物の選択を行うことが可能となっている。また、フォーカス確認アイコンを押圧すると、表示部５０２に表示部５０１で表示されているスルー画のうち、フォーカスが合っている部分や人物の拡大映像が表示され、フォーカスの確認を行うことが出来る。
【００２６】
撮影中に行う各種操作が完了し（ステップＳ９）、ユーザが再び表示部５０１を１２０°未満の開き角度まで閉じ、表示部５０１を９０°の位置で固定した倍には、再びＣＰＵから表示部５０２のバックライト減光の指令が下され、第２の輝度状態に輝度が下げられる。
【００２７】
ユーザにより、トリガーボタンを押圧されることによって撮影の終了が行われる（ステップＳ１０）と撮影を終了し、撮像部１０で撮影した動画像の記録媒体へ記録が終了する。撮影が終了すると、表示部５０２の輝度が第２の輝度になっていた場合は、ＣＰＵから表示部５０２のバックライト輝度向上の指令が下され、第１の輝度に変更されて、再び撮影待機モードに移行する（ステップＳ１１）。表示部５０１が閉じている第１の状態であると判断されると、無駄な消費電力を押さえるため、表示部５０１と表示部５０２表示装置の両方を消灯させ、本体の電源はＯＦＦとなる（ステップＳ１２）。また、上記の実施形態では、Ｓ６において、表示部５０１の回転角度が第２の検出角度未満か否かを検出したのみであった。しかし、撮影中に表示部５０１が第１の検出角度未満になった場合に電源がＯＦＦとなるように構成する場合は以下の処理を行う。つまり、Ｓ６において、表示部５０１の検出角度が３０°以上、１２０°未満の場合には、表示部５０１は９０°回転した状態で固定されていると考えられるので、Ｓ７の処理を行うようにする。
【００２８】
また、上述の実施形態では、撮影中に、表示部５０１が第２の状態（回転角度が第２の検出角度未満）の場合に、バックライト５０２２の輝度を低下させて第２の輝度に変更することを説明した。上記の説明には記載しなかったが、撮影中ではなく撮影待機中や再生モード中においては、表示部５０１が第２の状態（回転角度が第２の検出角度未満）であっても、ばっくバックライト５０２２の輝度を低下させずに第１の輝度にするように構成するとよい。これは、撮影中以外は、表示部５０１が第２の状態であっても、表示部５０２を使用する可能性があるからである。
【００２９】
図７は本発明実施の形態のビデオカメラの再生時および撮影待機時の動作を表わすフローチャートである。
【００３０】
本実施例のビデオカメラは、撮影待機モードにおいて表示部５０２に表示されている再生モード移行アイコンを押圧することによって、再生モードに移行することが可能となっている（ステップＳ２１、ステップＳ２２）。再生モードでは表示部５０１で記録部に記録された映像の確認を行うことが出来る（ステップＳ２３）。表示部５０２には、再生操作に関する操作キー（例えば  早送り、巻き戻し、停止、一時停止、再生キー、撮影待機モードへの移行ボタンなど）が表示され、タッチパネルによって操作を行うことが可能となっている。映像の確認後、再生モードにおいて表示部５０２に表示されている撮影モード移行アイコンを押圧することによって、再び撮影待機モードへと移行する（ステップＳ２４）。
【００３１】
また、本実施例のビデオカメラは、撮影待機モード中、表示部５０１をさらに開き、表示部５０１の液晶表示パネル面と表示部５０２の液晶表示パネル面が平行の面に配置される第４の状態にて、再生モードへと移行する。すなわち、撮影待機モード中に、表示部５０１が第３の検出角度まで開いたことが検出されると、再生モードへと自動的に移行する（ステップ２５）。
【００３２】
本実施例のビデオカメラは、撮影中には第４の状態まで表示部５０１が開いた場合においては、再生モードへの移行はしない。代わりに第３の検出角度または第４の検出角度であることを検出したタイミングで、その時点から別シーンとしての記録を開始する。これによってユーザーが意図せず不意に表示部５０１が開いた場合においても、撮影が休止することはなく、貴重な撮影タイミングを逃すことはない。また、表示部５０１が大きく開くことで、特に、レンズをワイド側に駆動している場合に、表示部５０１が撮影映像に映り込んでしまう可能性がある。そこで、それまで撮影していた映像シーンと別シーンとすることで、表示部５０１が映り込んだ映像のみを、後から簡単に削除することが可能となる。
【００３３】
本実施例においては、再生モードにおいては、各状態において表示部５０２の減光は行わない。しかし、ここで、表示部５０１が第２の状態にある場合、画像の再生を開始したタイミングで、表示部５０２を減光する構成とし、各種操作キーを、より暗い状態で表示する構成としてもよい。表示部５０１と、表示部５０２が直交する条件で両方の画面を視認することは困難なので、表示部５０２を減光し、再生中の本体の消費電力を抑え、より長時間の再生が可能となる。
【００３４】
以上、本実施形態のビデオカメラにおいて、表示面が光軸と垂直な面に位置している表示部５０２のバックライトの輝度をを、表示部５０１の回動状態（特に、表示画面の光軸に対する位置）によって制御した。これにより、特に表示部５０１の表示画面が光軸と略直交するような所定の角度となる場合において、表示部５０１，５０２の視認性向上の効果と、ビデオカメラの省電効果が得られる。
【００３５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００３６】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００３７】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００３８】
その場合、プログラムの機能を有していれば、オブジェクトコード、インタプリタにより実行されるプログラム、ＯＳに供給するスクリプトデータ等、プログラムの形態を問わない。
【００３９】
プログラムを供給するための記録媒体としては、例えば、ハードディスク、磁気テープ等の磁気記録媒体、光／光磁気記憶媒体、不揮発性の半導体メモリでもよい。
【００４０】
また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【００４１】
また、実施例ではタッチパネル形態のＬＣＤ表示装置を例に挙げているが、マウスを使った操作や、ＬＣＤ以外の表示装置を使ったものでも適用可能である。
【図１】
0005839882.tif 000002
【図２】
0005839882.tif 000003
【図３】
0005839882.tif 000004
【図４】
0005839882.tif 000005
【図５】
0005839882.tif 000006
【図６】
0005839882.tif 000007
【図７】
0005839882.tif 000008